(57)【要約】  本発明の実施例は、サービス経路の切替え方法、デバイス、記憶媒体及びシステムを提供し、当該方法は、端末デバイスにより送信された参照情報を受信することと、前記参照メッセージに基づいて、前記端末デバイスの特定のサービスを第１の接続経路から第２の接続経路へ切り替えることとを含む。そして、５Ｇのマルチ接続データ伝送環境で、サービスの伝送路を切り替えることができる。
2021501482.tif 000002
【特許請求の範囲】
【請求項１】
ネットワークデバイスに応用されるサービス経路の切替え方法であって、
端末デバイスにより送信された参照情報を受信することと、
前記参照メッセージに基づいて、前記端末デバイスの特定のサービスを第１の接続経路から第２の接続経路へ切り替えることとを含む
ことを特徴とするサービス経路の切替方法。
【請求項２】
前記第１の接続経路は、前記端末デバイスと第１のアクセスデバイスとの第１のアクセスリンク、及び前記第１のアクセスデバイスとコアネットワークデバイスとの第１のコアネットワークリンクを含み、前記第２の接続経路は、前記端末デバイスと第２のアクセスデバイスとの第２のアクセスリンク、及び前記第２のアクセスデバイスとコアネットワークデバイスとの第２のコアネットワークリンクを含む
ことを特徴とする請求項１に記載のサービス経路の切替方法。
【請求項３】
前記参照情報は、前記第２の接続経路の属性情報、前記特定のサービスの説明情報及び前記端末デバイスのプリファレンス説明情報と請求情報のうちの少なくとも１つを含む
ことを特徴とする請求項１に記載のサービス経路の切替方法。
【請求項４】
前記第２の接続経路の属性情報は、前記第２の接続経路のタイプ情報、第２の接続経路の識別情報、第２の接続経路のリンク品質情報及び第２の接続経路の利用可能な指示情報のうちの少なくとも１つを含む
ことを特徴とする請求項３に記載のサービス経路の切替方法。
【請求項５】
前記特定のサービスの説明情報は、前記特定のサービスのパケットデータネットワークＰＤＮ接続情報、前記特定のサービスのサービス品質Ｑｏｓ情報、前記特定のサービスの搬送情報、前記特定のサービスのデータストリーム情報、前記特定のサービスのプロトコルデータユニットＰＤＵセッションのうちの少なくとも１つを含む
ことを特徴とする請求項３に記載のサービス経路の切替方法。
【請求項６】
前記端末デバイスのプリファレンス説明情報は、前記特定のサービスに対する前記端末デバイスが使用する接続経路の好み情報を示す
ことを特徴とする請求項３に記載のサービス経路の切替方法。
【請求項７】
前記端末デバイスの請求情報は、前記端末デバイスが前記特定のサービスを前記第２の接続経路へ切り替えたいことを示す
ことを特徴とする請求項３に記載のサービス経路の切替方法。
【請求項８】
前記端末デバイスにより送信された参照情報を受信することは、
第１の接続経路又は第２の接続経路を介して端末デバイスにより送信された参照情報を受信し、又は、第１の接続経路又は第２の接続経路を協同して端末デバイスにより送信された参照情報を受信することを含む
ことを特徴とする請求項１に記載のサービス経路の切替方法。
【請求項９】
前記参照情報は、前記ネットワークデバイスと前記端末デバイスとのプロトコルスタックインターフェースにより伝送された制御メッセージ又はユーザデータに搬送される
ことを特徴とする請求項８に記載のサービス経路の切替方法。
【請求項１０】
前記参照メッセージに基づいて、前記端末デバイスの特定のサービスを第１の接続経路から第２の接続経路へ切り替える前に、前記方法は、さらに、
前記参照情報を受信した後、前記特定のサービスを前記第１の接続経路から前記第２の接続経路へ切り替えると確定することと、
第２の接続経路に前記端末デバイスに関連する接続を確立することとを含む
ことを特徴とする請求項１に記載のサービス経路の切替方法。
【請求項１１】
第２の接続経路に前記端末デバイスに関連する接続を確立することは、
前記ネットワークデバイスが、前記端末デバイスが前記第２の接続経路に接続を確立しないと確定する場合、前記端末デバイスのために前記第２の接続経路に関連する接続を確立することと、
前記ネットワークデバイスが、前記端末デバイスが前記第２の接続経路に接続を確立すると確定する場合、前記特定のサービスに基づいて前記第２の接続経路を適当に修正することとを含む
ことを特徴とする請求項１０に記載のサービス経路の切替方法。
【請求項１２】
前記特定のサービスに基づいて前記第２の接続経路を適当に修正することは、
前記特定のサービスに対して前記第２の接続経路に対応する新たな伝送チャネルを割り当てること、又は、前記特定のサービスを前記第２の接続経路の既存する伝送チャネルに追加することを含む
ことを特徴とする請求項１１に記載のサービス経路の切替方法。
【請求項１３】
前記参照メッセージに基づいて、前記端末デバイスの特定のサービスを第１の接続経路から第２の接続経路へ切り替えることは、
前記端末デバイスに切り替えメッセージを送信することを含み、
前記切り替えメッセージは、
前記端末デバイスに対して前記特定のサービスを第２の接続経路へ切り替える確認コマンド、
前記第２の接続経路へ切替の特定のサービスの確認情報、
前記第２の接続経路の属性情報、
前記第２の接続経路へ切り替える期間情報、
前記第２の接続経路への切替のアクティブされるタイミング情報、
前記第２の接続経路へ切り替える構成情報のうちの少なくとも１つを含む
ことを特徴とする請求項１に記載のサービス経路の切替方法。
【請求項１４】
前記特定のサービスは、前記端末デバイスが新しく作成したタクス、又は前記端末デバイスが当前実行しているサービスを含む
ことを特徴とする請求項１に記載のサービス経路の切替方法。
【請求項１５】
端末デバイスに応用されるサービス経路の切替え方法であって、
特定のサービスに対してネットワークデバイスに参照メッセージを送信することと、前記ネットワークデバイスから送信された切替コマンドを受信することと、
前記切替コマンドに基づいて前記特定のサービスを第１の接続経路から第２の接続経路へ切り替えることとを含み、
前記参照メッセージは、前記ネットワークデバイスが前記特定のサービスを第１の接続経路から第２の接続経路へ切り替えるために使用される、
ことを特徴とするサービス経路の切替方法。
【請求項１６】
前記第１の接続経路は、前記端末デバイスと第１のアクセスデバイスとの第１のアクセスリンク、及び前記第１のアクセスデバイスとコアネットワークデバイスとの第１のコアネットワークリンクを含み、前記第２の接続経路は、前記端末デバイスと第２のアクセスデバイスとの第２のアクセスリンク、及び前記第２のアクセスデバイスとコアネットワークデバイスとの第２のコアネットワークリンクを含む
ことを特徴とする請求項１５に記載のサービス経路の切替方法。
【請求項１７】
前記参照情報は、前記第２の接続経路の属性情報、前記特定のサービスの説明情報及び前記端末デバイスのプリファレンス説明情報と請求情報のうちの少なくとも１つを含む
ことを特徴とする請求項１５に記載のサービス経路の切替方法。
【請求項１８】
前記第２の接続経路の属性情報は、前記第２の接続経路のタイプ情報、第２の接続経路の識別情報、第２の接続経路のリンク品質情報及び第２の接続経路の利用可能な指示情報のうちの少なくとも１つを含む
ことを特徴とする請求項１７に記載のサービス経路の切替方法。
【請求項１９】
前記特定のサービスの説明情報は、前記特定のサービスのパケットデータネットワークＰＤＮ接続情報、前記特定のサービスのサービス品質Ｑｏｓ情報、前記特定のサービスの搬送情報、前記特定のサービスのデータストリーム情報、前記特定のサービスのプロトコルデータユニットＰＤＵセッションのうちの少なくとも１つを含む
ことを特徴とする請求項１７に記載のサービス経路の切替方法。
【請求項２０】
前記端末デバイスのプリファレンス説明情報は、前記特定のサービスに対する前記端末デバイスが使用する接続経路の好み情報を示す
ことを特徴とする請求項１７に記載のサービス経路の切替方法。
【請求項２１】
前記端末デバイスの請求情報は、前記端末デバイスが前記特定のサービスを前記第２の接続経路へ切り替えたいことを示す
ことを特徴とする請求項１７に記載のサービス経路の切替方法。
【請求項２２】
前記特定のサービスに対してネットワークデバイスに参照メッセージを送信することは、
第１の接続経路又は第２の接続経路を介して前記ネットワークデバイスに参照情報を送信し、又は、第１の接続経路又は第２の接続経路と協働して前記ネットワークデバイスに参照情報を送信することを含む
ことを特徴とする請求項１５に記載のサービス経路の切替方法。
【請求項２３】
前記参照情報は、前記ネットワークデバイスと前記端末デバイスとのプロトコルスタックインターフェースにより伝送された制御メッセージ又はユーザデータに搬送される
ことを特徴とする請求項２２に記載のサービス経路の切替方法。
【請求項２４】
前記切り替えメッセージは、
前記端末デバイスに対して前記特定のサービスを第２の接続経路へ切り替える確認コマンド、ユーザデータ
前記第２の接続経路へ切替の特定のサービスの確認情報、
前記第２の接続経路の属性情報、
前記第２の接続経路へ切り替える期間情報、
前記第２の接続経路への切替のアクティブされるタイミング情報、
前記第２の接続経路へ切り替える構成情報のうちの少なくとも１つを含む
ことを特徴とする請求項１５に記載のサービス経路の切替方法。
【請求項２５】
前記特定のサービスは、前記端末デバイスが新しく作成したタクス、又は前記端末デバイスが当前実行しているサービスを含む
ことを特徴とする請求項１５に記載のサービス経路の切替方法。
【請求項２６】
第１の受信部と第１の切替部を備えるネットワークデバイスであって、
前記第１の受信部は、端末デバイスにより送信された参照情報を受信するように構成され、
前記第１の切替部は、前記参照メッセージに基づいて、前記端末デバイスの特定のサービスを第１の接続経路から第２の接続経路へ切り替えるように構成される
ことを特徴とするネットワークデバイス。
【請求項２７】
前記受信部は、第１の接続経路又は第２の接続経路を介して端末デバイスにより送信された参照情報を受信し、又は、第１の接続経路又は第２の接続経路を協同して端末デバイスにより送信された参照情報を受信するように構成される
ことを特徴とする請求項２６に記載のネットワークデバイス。
【請求項２８】
確定部と確立部をさらに備え、
前記確定部は、前記参照情報を受信した後、前記特定のサービスを前記第１の接続経路から前記第２の接続経路へ切り替えると確定するように構成され、
前記確立部は、第２の接続経路に前記端末デバイスに関連する接続を確立するように構成される
ことを特徴とする請求項２６に記載のネットワークデバイス。
【請求項２９】
前記確立部は、前記ネットワークデバイスが、前記端末デバイスが前記第２の接続経路に接続を確立しないと確定する場合、前記端末デバイスのために前記第２の接続経路に関連する接続を確立し、
前記ネットワークデバイスが、前記端末デバイスが前記第２の接続経路に接続を確立すると確定する場合、前記特定のサービスに基づいて前記第２の接続経路を適当に修正するように構成される
ことを特徴とする請求項２６に記載のネットワークデバイス。
【請求項３０】
前記確立部は、前記特定のサービスに対して前記第２の接続経路に対応する新たな伝送チャネルを割り当て、又は、前記特定のサービスを前記第２の接続経路の既存する伝送チャネルに追加するように構成される
ことを特徴とする請求項２９に記載のネットワークデバイス。
【請求項３１】
前記第１の切替部は、前記端末デバイスに切り替えメッセージを送信するように構成され、
前記切り替えメッセージは、
前記端末デバイスに対して前記特定のサービスを第２の接続経路へ切り替える確認コマンド、
前記第２の接続経路へ切替の特定のサービスの確認情報、
前記第２の接続経路の属性情報、
前記第２の接続経路へ切り替える期間情報、
前記第２の接続経路への切替のアクティブされるタイミング情報、
前記第２の接続経路へ切り替える構成情報のうちの少なくとも１つを含む
ことを特徴とする請求項２６に記載のネットワークデバイス。
【請求項３２】
第１のネットワークインターフェースと、第１のメモリと、第１のプロセッサとを備えるネットワークデバイスであって、
前記第１のネットワークインターフェースは、他の外部ネットワークエンティティとの情報の送受信において、信号を送受信するように構成され、
前記第１のメモリは、前記第１のプロセッサで実行する可能なコンピュータープログラムを記憶するように構成され、
前記第１のプロセッサは、前記コンピュータープログラムを実行して、請求項１〜１４のいずれか１項に記載の方法のステップを実行するように構成される
ことを特徴とするネットワークデバイス。
【請求項３３】
送信部と、第２の受信部と、第２の切替部とを備える端末デバイスであって、
前記送信部は、特定のサービスに対してネットワークデバイスに参照メッセージを送信するように構成され、
前記参照メッセージは、前記ネットワークデバイスが前記特定のサービスを第１の接続経路から第２の接続経路へ切り替えるために使用され、
前記第２の受信部は、前記ネットワークデバイスから送信された切替コマンドを受信するように構成され、
前記第２の切替部は、切替コマンドに基づいて特定のサービスを第１の接続経路から第２の接続経路へ切り替えるように構成される
ことを特徴とする端末デバイス。
【請求項３４】
前記送信部は、第１の接続経路又は第２の接続経路を介して前記ネットワークデバイスに参照情報を送信し、又は、第１の接続経路又は第２の接続経路と協働して前記ネットワークデバイスに参照情報を送信するように構成される
ことを特徴とする請求項３３に記載の端末デバイス。
【請求項３５】
第２のネットワークインターフェースと、第２のメモリと、第２のプロセッサとを備える端末デバイスであって、
前記第２のネットワークインターフェースは、他の外部ネットワークエンティティとの情報の送受信において、信号を送受信するように構成され、
前記第２のメモリは、前記第２のプロセッサで実行する可能なコンピュータープログラムを記憶するように構成され、
前記第２のプロセッサは、前記コンピュータープログラムを実行して、請求項１５〜２５のいずれか１項に記載の方法のステップを実行するように構成される
ことを特徴とする端末デバイス。
【請求項３６】
アクセスリンクの管理プログラムを記憶するコンピューター読み取り可能な媒体であって、
前記アクセスリンクの管理プログラムは、少なくとも１つのプロセッサにより実行され、請求項１〜２５のいずれか１項に記載の方法のステップを実現する
ことを特徴とするコンピューター読み取り可能な媒体。
【請求項３７】
ネットワークデバイスと端末デバイスとを備えるサービス経路の切替システムであって、
前記ネットワークデバイスは、端末デバイスにより送信された参照情報を受信し、
前記参照メッセージに基づいて、前記端末デバイスの特定のサービスを第１の接続経路から第２の接続経路へ切り替えるように構成され、
前記端末デバイスは、特定のサービスに対してネットワークデバイスに参照メッセージを送信し、
前記ネットワークデバイスから送信された切替コマンドを受信し、
前記切替コマンドに基づいて前記特定のサービスを第１の接続経路から第２の接続経路へ切り替えるように構成され、
前記参照メッセージは、前記ネットワークデバイスが前記特定のサービスを第１の接続経路から第２の接続経路へ切り替えるために使用される
ことを特徴とするサービス経路の切替システム。
【発明の詳細な説明】
【技術分野】
【０００１】
本発明の実施例は、無線通信技術に関し、特に、サービス経路の切替え方法、デバイス、記憶媒体及びシステムに関する。
【背景技術】
【０００２】
通信技術の発展に伴い、第５世代移動体通信技術( ５Ｇ、５ｔｈ Ｇｅｎｅｒａｔｉｏｎ )の研究も進められている。５Ｇシステムでは、マルチ接続( Ｍｕｌｔｉ−Ｃｏｎｎｅｃｔｉｏｎ )データ伝送が５Ｇネットワークのキーテクノロジーの１つである。ここで、多接続データ伝送とは、端末とネットワーク側との間で、多種のアクセスネットワークが提供するアクセスリンクを介したデータ伝送を可能とすることをいう。例えば、端末は、第３世代パートナーシッププロジェクト( ３ＧＰＰ、３ ｒｄ Ｇｅｎｅｒａｔｉｏｎ Ｐａｒｔｎｅｒｓｈｉｐ Ｐｒｏｊｅｃｔ )プロトコルネットワークによって提供されるアクセスリンク、および非３ＧＰＰプロトコルネットワークによって提供されるアクセスリンクを通じてネットワーク側との間でデータ伝送を行うことができ、端末は、３ＧＰＰプロトコルにおける異なる無線アクセス技術( ＲＡＴ、Ｒａｄｉｏ Ａｃｃｅｓｓ Ｔｅｃｈｎｏｌｏｇｙ )ネットワークによって提供されるアクセスリンクを通じてネットワーク側との間でデータ伝送を行うこともできる。
【０００３】
端末は、サービス開始又は処理中、異なるアクセスリンクにサービスを分離することができ、アクセスリンクの品質が低下した場合、サービスに対する切替が必要となり、現在では、マルチコ接続データ伝送条件下で、サービスの経路を切り替える方式は存在しない。
【発明の概要】
【０００４】
本発明は、上記の問題点に鑑みてなされたものであり、５Ｇのマルチ接続データ伝送環境下で、サービスの伝送経路を切り替えることができるサービス経路の切替え方法、デバイス、記憶媒体及びシステムを提供する。
【０００５】
本発明の実施例の技術的解決策は、以下のように実現され得る。
【０００６】
第１の態様として、本発明の実施例は、ネットワークデバイスに応用されるサービス経路の切替え方法を提供し、前記方法は、
端末デバイスにより送信された参照情報を受信することと、
前記参照メッセージに基づいて、前記端末デバイスの特定のサービスを第１の接続経路から第２の接続経路へ切り替えることとを含む。
【０００７】
第２の態様として、本発明の実施例は、端末デバイスに応用されるサービス経路の切替え方法を提供し、前記方法は、
特定のサービスに対してネットワークデバイスに参照メッセージを送信することと、
前記ネットワークデバイスから送信された切替コマンドを受信することと、
前記切替コマンドに基づいて前記特定のサービスを第１の接続経路から第２の接続経路へ切り替えることとを含み、
ここで、前記参照メッセージは、前記ネットワークデバイスが前記特定のサービスを第１の接続経路から第２の接続経路へ切り替えるために使用される。
【０００８】
第３の態様として、本発明の実施例は、第１の受信部と第１の切替部を備える前記ネットワークデバイスを提供し、
前記第１の受信部は、端末デバイスにより送信された参照情報を受信するように構成され、
前記第１の切替部は、前記参照メッセージに基づいて、前記端末デバイスの特定のサービスを第１の接続経路から第２の接続経路へ切り替えるように構成される。
【０００９】
第４の態様として、本発明の実施例は第１のネットワークインターフェースと、第１のメモリと、第１のプロセッサとを備えるネットワークデバイスを提供し、ここで、
前記第１のネットワークインターフェースは、他の外部ネットワークエンティティとの情報の送受信において、信号を送受信するように構成され、
前記第１のメモリ、前記第１のプロセッサで実行する可能なコンピュータープログラムを記憶するように構成され、
前記第１のプロセッサは、前記コンピュータープログラムを実行して、第１の態様の前記方法のステップを実行する。
【００１０】
第５の態様として、本発明の実施例は、送信部と、第２の受信部と、第２の切替部とを備える前記端末デバイスを提供し、ここで、
前記送信部は、特定のサービスに対してネットワークデバイスに参照メッセージを送信するように構成され、ここで、前記参照メッセージは、前記ネットワークデバイスが前記特定のサービスを第１の接続経路から第２の接続経路へ切り替えるために使用され、
前記第２の受信部は、前記ネットワークデバイスから送信された切替コマンドを受信するように構成され、
前記第２の切替部は、切替コマンドに基づいて特定のサービスを第１の接続経路から第２の接続経路へ切り替えるように構成される。
【００１１】
第６の態様として、本発明の実施例は、第２のネットワークインターフェースと、第２のメモリと、第２のプロセッサとを備える端末デバイスを提供し、
ここで、前記第２のネットワークインターフェースは、他の外部ネットワークエンティティとの情報の送受信において、信号を送受信するように構成され、
前記第２のメモリは、第２のプロセッサで実行する可能なコンピュータープログラムを含み、
前記第２のプロセッサは、前記コンピュータープログラムを実行して、第２の態様の前記方法のステップを実行する。
【００１２】
第７の態様として、本発明の実施例は、コンピューター読み取り可能な媒体を提供し、前記コンピューター読み取り可能な媒体は、アクセスリンクの管理プログラムを記憶し、前記アクセスリンクの管理プログラムが少なくとも１つのプロセッサにより実行される場合、第１の態様又は第２の態様に記載の方法のステップを実現する。
【００１３】
第８の態様として、本発明の実施例は、ネットワークデバイスと端末デバイスとを備えるサービス経路の切替システムを提供し、ここで、
前記ネットワークデバイスは、端末デバイスにより送信された参照情報を受信し、
前記参照メッセージに基づいて、前記端末デバイスの特定のサービスを第１の接続経路から第２の接続経路へ切り替えるように構成され、
前記端末デバイスは、特定のサービスに対してネットワークデバイスに参照メッセージを送信し、ここで、前記参照メッセージは、前記ネットワークデバイスが前記特定のサービスを第１の接続経路から第２の接続経路へ切り替えるために使用され、
前記ネットワークデバイスから送信された切替コマンドを受信し、
前記切替コマンドに基づいて前記特定のサービスを第１の接続経路から第２の接続経路へ切り替えるように構成される。
【００１４】
本発明の実施例は、サービス経路の切替え方法、デバイス、記憶媒体、およびシステムを提供し、ネットワークデバイスは、受信端末から送信された特定のサービスの参照メッセージを受信し、当該特定のサービスを第１の接続経路から第２の接続経路に切り替えることができ、５Ｇのマルチ接続データ伝送環境下でサービスの伝送経路を切り替えることができる。
【図面の簡単な説明】
【００１５】
【図１】５Ｇの基本的なネットワークアーキテクチャである。
【図２】本発明の実施例におけるネットワークアーキテクチャの概略図である。
【図３】本発明の実施例におけるサービス経路の切替のフローチャートである。
【図４】本発明の実施例におけるサービス経路の切替のフローチャートである。
【図５】本発明の実施例における具体例１のフローチャートである。
【図６】本発明の実施例における具体例２のフローチャートである。
【図７】本発明の実施例における具体例３のフローチャートである。
【図８Ａ】本発明の実施例におけるネットワークデバイスの構成図である。
【図８Ｂ】本発明の実施例における他のネットワークデバイスの構成図である。
【図９】本発明の実施例におけるネットワークデバイスの具体的なハードウェア構成図である。
【図１０】本発明の実施例における端末デバイスの構成図である。
【図１１】本発明の実施例における端末デバイスの具体的なハードウェア構成図である。
【図１２】本発明の実施例におけるサービス経路の切替システムの構成図である。
【発明を実施するための形態】
【００１６】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００１７】
図１を参照すると、サービスベースのネットワークアーキテクチャ( ＳＢＡ、Ｓｅｒｖｉｃｅ−Ｂａｓｅｄ Ａｒｃｈｉｔｅｃｔｕｒｅ )と呼ばれ得る、マルチアクセスを有する５Ｇの基本的なネットワークアーキテクチャが示されている。図１に示すように、ユーザデバイス( ＵＥ、Ｕｓｅｒ Ｅｑｕｉｐｍｅｎｔ )は、(無線)アクセスネットワーク( ( Ｒ ) ＡＮ、（ Ｒａｄｉｏ ） Ａｃｃｅｓｓ Ｎｅｔｗｏｒｋ )を介してコアに接続し、モビリティ管理( ＡＭＦ、Ｃｏｒｅ Ａｃｃｅｓｓ ａｎｄ Ｍｏｂｌｉｔｙ Ｍａｎａｇｅｍｅｎｔ Ｆｕｎｃｔｉｏｎ )にアクセスし、ＵＥはＡＭＦに直接アクセスしてもよく、ＡＭＦは、ロングタームエボリューション( ＬＴＥ、Ｌｏｎｇ Ｔｅｒｍ Ｅｖｏｌｕｔｉｏｎ )システムにおけるモビリティ管理エンティティ( ＭＭＥ、Ｍｏｂｉｌｉｔｙ Ｍａｎａｇｅｍｅｎｔ Ｅｎｔｉｔｙ )におけるＥＰＳモビリティ管理( ＥＭＭ )と同様に、ネットワークの制御プレーンメッセージを処理するために使用される。認証サービス機能( ＡＵＳＦ、Ａｕｔｈｅｎｔｉｃａｔｉｏｎ Ｓｅｒｖｅｒ Ｆｕｎｃｔｉｏｎ )は、ＬＴＥシステムにおけるＭＭＥの認証機能に類似し、ＵＥの双方向認証を実現し、統一された認証フレームワークをサポートする。ユーザプレーン機能( ＵＰＦ、Ｕｓｅｒｐｌａｎｅ Ｆｕｎｃｔｉｏｎ )は、ＬＴＥシステムにおけるサービングゲートウェイＳ−ＧＷとＰＤＮゲートウェイＰ−ＧＷとの統合に類似し、データネットワークＤａｔａＮｅｔｗｏｒｋに接続される。セッション管理機能( ＳＭＦ、Ｓｅｅｓｉｏｎ Ｍａｎａｇｅｍｅｎｔ Ｆｕｎｃｔｉｏｎ )は、ＬＴＥシステムにおけるＥＰＳセッション管理ＥＳＭ機能と同様に、主にセッションの管理、確立、修正、および解放を行う。これから分かるように、ＡＵＳＦ、ＡＭＦ及びＳＭＦの機能セットは、ＬＴＥシステムにおけるＭＭＥと同様である。また、図１に示す構成には、ネットワークアサイン機能( ＮＥＦ、Ｎｅｔｗｏｒｋ Ｅｘｐｏｓｕｒｅ Ｆｕｎｃｔｉｏｎ )、ネットワークエンティティ格納機能( ＮＲＦ、ＮＦ Ｒｅｐｏｓｉｔｏｒｙ Ｆｕｎｃｔｉｏｎ )、ポリシコントロール機能( ＰＣＦ、Ｐｏｌｉｃｙ Ｃｏｎｔｒｏｌ Ｆｕｎｃｔｉｏｎ )、統合的なデータ管理( ＵＤＭ、Ｕｎｉｆｉｅｄ Ｄａｔａ Ｍａｎａｇｅｍｅｎｔ )、およびアプリケーション機能( ＡＦ、Ａｐｐｌｉｃａｔｉｏｎ Ｆｕｎｃｔｉｏｎ )を含み、ここで、ＮＥＦは、監視能力、供給能力、及びポリシー又は課金能力などのネットワーク機能の何らかの能力を外部に示すために使用される、ＮＲＦは、サービス発見機能をサポートすることができ、ＰＣＦは、ネットワーク挙動を管理する統一ポリシーフレームワークをサポートし、ＵＤＭは、アプリケーションフロントエンド( ＦＥ )と、加入ユーザ情報にアクセス可能なユーザデータストア( ＵＤＲ )とを有し、ＦＥは、ＵＤＲ内の加入者情報にアクセスすることができ、ＵＤＭの機能は、ＬＴＥシステムにおけるＨＳＳと同様、ＵＤＲは加入データ記憶サービスを提供し、アプリケーションフロントエンドＦＥは、データベースアプリケーションロジックを提供し、ＡＦはアプリケーションサービスの提供に関する。
【００１８】
上記アーキテクチャにおけるネットワークから分かるように、(無線)アクセスネットワーク( Ｒ ) ＡNとデータネットワークＤａｔａＮｅｗｏｒｋとの間のアーキテクチャは、５Ｇコアネットワークと呼ばれることがあり、５Ｇコアネットワークにおけるネットワークエンティティは、５Ｇコアネットワークエンティティと呼ばれることがある。５Ｇ技術では、端末は、５Ｇ ＮＲアクセス技術( ＮＲ、Ｎｅｗ Ｒａｄｉｏ )、ＬＴＥアクセスなどを用いた３ＧＰＰ規格に準拠するアクセスネットワークを含み得る複数のアクセスネットワークのアクセスリンクを通じて、マルチ接続データ伝送を可能にし、また、３ＧＰＰ規格以外のアクセスネットワーク、たとえば、ワイヤレスフィデリティ( ＷＩＦＩ、ＷＩｒｅｌｅｓｓ−ＦＩｄｅｌｉｔｙ )ネットワークなどを含み得る。この実施例ではその説明を省略する。
【００１９】
５Ｇネットワークにおけるサービスのためのマルチ接続データ伝送のために、本発明の実施例は、図１に示すネットワークアーキテクチャに基づいて、マルチ接続伝送のための伝送されるデータストリームを制御するために、サービスアクセス管理ノード( ＡＴＳＳＳ / ＡＴ３ＳＦ )をさらに提供する。５Ｇネットワークアーキテクチャに基づくデュアルコネクティビティ( ＤＣ、Ｄｕａｌ Ｃｏｎｎｅｃｔｉｏｎ )データ伝送を例とする。伝送するデータストリームが下りデータストリームである場合、サービスアクセス管理ノードは、独立型ネットワークエンティティとして( Ｒ ) ＡＮと５Ｇコアネットワークエンティティとの間に配置され、５ＧコアネットワークがＵＥとのデータ伝送要求を有するネットワーク、例えばＵＤＭ、ＳＭＦ、ＰＣＦ及びＵＰＦに機能モジュールの形態で分散されてもよい。この実施例ではその説明を省略する。伝送するデータストリームが上りデータストリームである場合、サービスアクセス管理ノードは、独立なネットワークエンティティとして( Ｒ ) ＡＮとＵＥとの間に設けられ、ＵＥの１つの機能モジュールとして実現されてもよい。本発明の実施例において、好ましくは、サービスアクセス管理ノードＡＴ３ＳＦは、ＵＤＭ、ＳＭＦ、ＰＣＦ、ＳＭＦ及びＵＰＦなどの５Ｇコアネットワークにおけるデータ伝送要件を有するネットワークエンティティ内に分散され、ＵＥにおいても提供され、図２に示されるフレームワークを参照すると、図２において、３ＧＰＰ標準に準拠するアクセスネットワークは、５Ｇ基地局ｇＮＢ又はＬＴＥ基地局ｅＮＢ等の３ＧＰＰプロトコルアクセスデバイス３ＧＰＰ Ａｃｃｅｓｓによって提供され、非３ＧＰＰ標準のアクセスネットワークは、ＷＩＦＩアクセスポイントなどの非３ＧＰＰアクセスデバイスＮｏｎ−3ＧＰＰ Ａｃｃｅｓｓによって提供され得る。
【００２０】
以上の内容を基に以下の実施例を提案する。
【００２１】
実施例一
図３を参照すると、本発明の実施例によって提供されるサービス経路の切替え方法が示されており、この方法は、サービスアクセス管理ノードＡＴＳＳＳであるネットワークデバイスに適用され、Ｓ３０１及びＳ３０２を含む
Ｓ３０１において、端末デバイスにより送信された参照情報を受信する。
【００２２】
Ｓ３０２において、前記参照メッセージに基づいて、前記端末デバイスの特定のサービスを第１の接続経路から第２の接続経路へ切り替える。
【００２３】
ここで、前記第１の接続経路は、前記端末デバイスと第１のアクセスデバイスとの第１のアクセスリンク、及び前記第１のアクセスデバイスとコアネットワークデバイスとの第１のコアネットワークリンクを含み、前記第２の接続経路は、前記端末デバイスと第２のアクセスデバイスとの第２のアクセスリンク、及び前記第２のアクセスデバイスとコアネットワークデバイスとの第２のコアネットワークリンクを含む。
【００２４】
図３の技術案について、なお、第１アクセスデバイスと第２アクセスデバイスは、それぞれ３ＧＰＰプロトコルに準拠したアクセスデバイス及び非３ＧＰＰプロトコルのアクセスデバイスであってもよく、それぞれ３ＧＰＰプロトコルにおける異なるＲＡＴのアクセスデバイスであってもよく、この実施例ではこれについての説明は省略する。また、切り替えに際して、第１の接続経路はソース接続経路とも称され、第２の接続経路はターゲット接続経路とも称され得る。
【００２５】
本発明の実施例において、端末デバイスは、携帯電話、スマートフォン、セッション開始プロトコル( ＳＩＰ )電話、ラップトップコンピューター、携帯情報端末( ＰＤＡ )、衛星ラジオ、全地球測位システム、マルチメディアデバイス、ビデオデバイス、デジタルオーディオプレーヤ(たとえば、ＭＰ３プレーヤ)、カメラ、ゲームコンソール、タブレットコンピューター、または同様の機能を有する任意の他のデバイスを含み得ることを理解されたい。一方、端末デバイスは、当業者によって、ユーザデバイス、端末、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。
【００２６】
図３の技術案において、１つの可能な実施態様では、前記参照情報は、前記第２の接続経路の属性情報、前記特定のサービスの説明情報及び前記端末デバイスのプリファレンス説明情報と請求情報のうちの少なくとも１つを含む。
【００２７】
具体的に、前記第２の接続経路の属性情報は、前記第２の接続経路のタイプ情報、第２の接続経路の識別情報、第２の接続経路のリンク品質情報及び第２の接続経路の利用可能な指示情報のうちの少なくとも１つを含む。
【００２８】
前記特定のサービスの説明情報は、前記特定のサービスのパケットデータネットワーク（ＰＤＮ、Ｐａｃｋｅｔ Ｄａｔａ Ｎｅｔｗｏｒｋ）接続情報、前記特定のサービスのサービス品質（Ｑｏｓ、Ｑｕａｌｉｔｙ ｏｆ Ｓｅｒｖｉｃｅ）情報、前記特定のサービスの搬送情報、前記特定のサービスのデータストリーム情報、前記特定のサービスのプロトコルデータユニット（ＰＤＵ、Ｐｒｏｔｏｃｏｌ Ｄａｔａ Ｕｎｉｔ）セッションのうちの少なくとも１つを含む、
前記端末デバイスのプリファレンス説明情報は、前記特定のサービスに対する前記端末デバイスが使用する接続経路の好み情報を示す。
【００２９】
前記端末デバイスの請求情報は、前記端末デバイスが前記特定のサービスを前記第２の接続経路へ切り替えたいことを示す。
【００３０】
上記参照情報の記述により、ネットワークデバイスは、第２の接続経路の属性を知ることができ、また、特定のサービスに関する記述と端末のプリファレンスを知ることができ、ネットワークデバイスは、上記情報に基づき、特定のサービスを端末デバイスのプリファレンスの第２の接続経路に切り替えることができることがわかる。
【００３１】
図３の技術案において、１つの可能な実施態様では、前記端末デバイスにより送信された参照情報を受信することは、
第１の接続経路又は第２の接続経路を介して端末デバイスにより送信された参照情報を受信し、又は、第１の接続経路又は第２の接続経路を協同して端末デバイスにより送信された参照情報を受信することを含む。
【００３２】
上記の実施態様に関連して、第１の接続経路及び第２の接続経路において、端末デバイスとネットワークデバイスとの間のデータ伝送のためのプロトコルスタックインターフェースが存在し、したがって、参照情報は、ネットワークデバイスと端末デバイスとの間のプロトコルスタックインターフェースを介して伝送される制御メッセージ又はユーザデータに搬送され得る。
【００３３】
図３の技術案にいて、１つの可能な実施態様では、前記参照メッセージに基づいて、前記端末デバイスの特定のサービスを第１の接続経路から第２の接続経路へ切り替える前に、前記方法は、さらに、
前記参照情報を受信した後、前記特定のサービスを前記第１の接続経路から前記第２の接続経路へ切り替えると確定することと、
第２の接続経路に前記端末デバイスに関連する接続を確立することとを含む。
【００３４】
上記の実現方式に基づいて、第２の接続経路に前記端末デバイスに関連する接続を確立することは、
前記ネットワークデバイスが、前記端末デバイスが前記第２の接続経路に接続を確立しないと確定する場合、前記端末デバイスのために前記第２の接続経路に関連する接続を確立することと、
前記ネットワークデバイスが、前記端末デバイスが前記第２の接続経路に接続を確立すると確定する場合、前記特定のサービスに基づいて前記第２の接続経路を適当に修正することとを含む。
【００３５】
なお、上記の適応的な修正の具体的な方法は、前記特定のサービスに対して前記第２の接続経路に対応する新たな伝送チャネルを割り当てること、又は、前記特定のサービスを前記第２の接続経路の既存する伝送チャネルに追加することを含む。
【００３６】
上記の実施例によって、ネットワークデバイスは、端末デバイスの特定のサービスのための接続経路切り替えの準備が整った後、特定のサービスを第１の接続経路から第２の接続リンクに切り替えることができる。
【００３７】
図３の技術案において、１つの可能な実施態様では、前記参照メッセージに基づいて、前記端末デバイスの特定のサービスを第１の接続経路から第２の接続経路へ切り替えることは、
前記端末デバイスに切り替えメッセージを送信することを含み、
ここで、前記切り替えメッセージは、
前記端末デバイスに対して前記特定のサービスを第２の接続経路へ切り替える確認コマンド、
前記第２の接続経路へ切替の特定のサービスの確認情報、
前記第２の接続経路の属性情報、例えば第２の接続経路のタイプ情報、識別情報等、
前記第２の接続経路へ切り替える期間情報、
前記第２の接続経路への切替のアクティブされるタイミング情報、
前記第２の接続経路へ切り替える構成情報のうちの少なくとも１つを含む。
【００３８】
端末デバイスは、上記の切替メッセージを受信すると、切替メッセージに含まれる内容に従って、第１の接続パスから第２の接続パスに特定のサービスを切り替えることができることがわかる。
【００３９】
なお、図３に示す態様については、前記特定のサービスは、端末デバイスが新たに作成するタスクであってもよく、あるいは、端末デバイスが現在進行中のサービスであってもよく、この実施例ではその説明を省略する。
【００４０】
図３に示す態様によれば、ネットワークデバイスは、端末が送信した特定のサービスに対する参照メッセージを受信することにより、当該特定のサービスを第１の接続経路から第２の接続経路に切り替えることができ、５Ｇのマルチ接続でのデータ伝送環境で、サービスの伝送経路を切り替えることができる。
【００４１】
実施例二
上記実施例と同様の発明思想に基づいて、図４を参照し、本発明の実施例は、端末デバイスに応用されるサービス経路の切替え方法を提供し、Ｓ４０１〜Ｓ４０３を含む。
【００４２】
Ｓ４０１において、特定のサービスに対してネットワークデバイスに参照メッセージを送信し、
ここで、前記参照メッセージは、前記ネットワークデバイスが前記特定のサービスを第１の接続経路から第２の接続経路へ切り替えるために使用される。
【００４３】
Ｓ４０２において、前記ネットワークデバイスから送信された切替コマンドを受信し、
Ｓ４０３において、前記切替コマンドに基づいて前記特定のサービスを第１の接続経路から第２の接続経路へ切り替え、
ここで、前記第１の接続経路は、前記端末デバイスと第１のアクセスデバイスとの第１のアクセスリンク、及び前記第１のアクセスデバイスとコアネットワークデバイスとの第１のコアネットワークリンクを含み、前記第２の接続経路は、前記端末デバイスと第２のアクセスデバイスとの第２のアクセスリンク、及び前記第２のアクセスデバイスとコアネットワークデバイスとの第２のコアネットワークリンクを含む。
【００４４】
図４の技術案において、なお、第１アクセスデバイスと第２アクセスデバイスは、それぞれ３ＧＰＰプロトコルに準拠したアクセスデバイス及び非３ＧＰＰプロトコルのアクセスデバイスであってもよく、それぞれ３ＧＰＰプロトコルにおける異なるＲＡＴのアクセスデバイスであってもよく、この実施例ではこれについての説明は省略する。また、切り替えに際して、第１の接続経路はソース接続経路とも称され、第２の接続経路はターゲット接続経路とも称され得る。さらに、ネットワークデバイスは、サービスアクセス管理ノード( ＡＴＳＳＳ / ＡＴ３ＳＦ )とすることができ、サービスアクセス管理ノード( ＡＴＳＳＳ / ＡＴ３ＳＦ )は、( Ｒ ） ＡＮと５Ｇコアネットワークセルとの間に独立したネットワークエンティティとして配置することができ、５ＧコアネットワークがＵＥとのデータ伝送要求を有するネットワーク、例えばＵＤＭ、ＳＭＦ、ＰＣＦ及びＵＰＦに機能モジュールの形態で分散されてもよく、本発明の実施例は説明を省略する。
【００４５】
図４の技術案において、１つの可能な実施態様では、前記参照情報は、前記第２の接続経路の属性情報、前記特定のサービスの説明情報及び前記端末デバイスのプリファレンス説明情報と請求情報のうちの少なくとも１つを含む。
【００４６】
具体的に、前記第２の接続経路の属性情報は、前記第２の接続経路のタイプ情報、第２の接続経路の識別情報、第２の接続経路のリンク品質情報及び第２の接続経路の利用可能な指示情報のうちの少なくとも１つを含む。
【００４７】
前記特定のサービスの説明情報は、前記特定のサービスのパケットデータネットワーク（ＰＤＮ、Ｐａｃｋｅｔ Ｄａｔａ Ｎｅｔｗｏｒｋ）接続情報、前記特定のサービスのサービス品質（Ｑｏｓ、Ｑｕａｌｉｔｙ ｏｆ Ｓｅｒｖｉｃｅ）情報、前記特定のサービスの搬送情報、前記特定のサービスのデータストリーム情報、前記特定のサービスのプロトコルデータユニット（ＰＤＵ、Ｐｒｏｔｏｃｏｌ Ｄａｔａ Ｕｎｉｔ）セッションのうちの少なくとも１つを含む。
【００４８】
前記端末デバイスのプリファレンス説明情報は、前記特定のサービスに対する前記端末デバイスが使用する接続経路の好み情報を示す。
【００４９】
前記端末デバイスの請求情報は、前記端末デバイスが前記特定のサービスを前記第２の接続経路へ切り替えたいことを示す。
【００５０】
上記参照情報の記述により、ネットワークデバイスは、第２の接続経路の属性を知ることができ、また、特定のサービスに関する記述と端末のプリファレンスを知ることができ、ネットワークデバイスは、上記情報に基づき、特定のサービスを端末デバイスのプリファレンスの第２の接続経路に切り替えることができることがわかる。
【００５１】
図４の技術案において、１つの可能な実施態様では、前記特定のサービスに対してネットワークデバイスに参照メッセージを送信することは、
第１の接続経路又は第２の接続経路を介して前記ネットワークデバイスに参照情報を送信し、又は、第１の接続経路又は第２の接続経路と協働して前記ネットワークデバイスに参照情報を送信することを含む。
【００５２】
具体的には、端末とコアネットワークとの間に第１の接続経路と第２の接続経路が存在するため、端末は、２つの接続経路のいずれかを介して、参照メッセージをネットワークデバイスに送信することができ、さらに、端末は、参照メッセージをチャンク化し、２つの接続経路を介して同時にネットワークデバイスに送信してもよく、また、端末は、２つの接続経路を通じて同時に参照メッセージをネットワークデバイスに送信し、ネットワークデバイスは、いずれかの接続経路を通じて参照メッセージを受信した後に、他の接続経路を通じて送信された参照メッセージを無視することによって、伝送品質の低下による参照メッセージの伝送の安定性の低下を回避することができる。
【００５３】
上記の実施態様に関連して、第１の接続経路及び第２の接続経路において、端末デバイスとネットワークデバイスとの間のデータ伝送のためのプロトコルスタックインターフェースが存在し、したがって、参照情報は、ネットワークデバイスと端末デバイスとの間のプロトコルスタックインターフェースを介して伝送される制御メッセージ又はユーザデータに搬送され得る。
【００５４】
図４の技術案において、１つの可能な実施態様では、前記切り替えメッセージは、
前記端末デバイスに対して前記特定のサービスを第２の接続経路へ切り替える確認コマンド、
前記第２の接続経路へ切替の特定のサービスの確認情報、
前記第２の接続経路の属性情報、例えば、第２の接続経路のタイプ情報、識別情報等、
前記第２の接続経路へ切り替える期間情報、
前記第２の接続経路への切替のアクティブされるタイミング情報、
前記第２の接続経路へ切り替える構成情報のうちの少なくとも１つを含む。
【００５５】
端末デバイスは、上記の切替メッセージを受信すると、切替メッセージに含まれる内容に従って、第１の接続パスから第２の接続パスに特定のサービスを切り替えることができることがわかる。
【００５６】
図４の技術案において、前記特定のサービスは、端末デバイスが新たに作成するタスクであってもよく、あるいは、端末デバイスが現在進行中のサービスであってもよく、この実施例ではその説明を省略する。
【００５７】
図４に示す技術的解決策により、端末デバイスは、特定のサービスに対する参照メッセージをネットワークデバイスに送信し、ネットワークデバイスに、特定のサービスを第１の接続経路から第２の接続経路に切り替えさせ、さらに、端末デバイスは、ネットワークデバイスからフィードバックされた切り替え指示を受信することによって、特定のサービスを第１の接続経路から第２の接続経路にさらに切り替えさせ、これにより、５Ｇのマルチ接続データ伝送環境下で、サービスの伝送路を切り替えることができる。
【００５８】
実施例三
上記実施例と同様の発明思想に基づいて、この実施例の具体例では、サービスアクセス管理ノードＡＴＳＳＳは、コアネットワークのエンティティ内に配置されている。
【００５９】
具体例一
図５に示すセッションフロー概略図を参照すると、ソース接続経路は、ＮＲ−ＲＡＮを介したＵＥのＡＴＳＳＳへの接続経路であり、ＵＥがＡＭＦにおいてＷＬＡＮを介した登録を受けた後、ＵＥは、ＮＲ−ＲＡＮを介して、ＷＬＡＮアクセスポイントＡＰの参照情報が含まれる案内要求Ｓｔｅｅｒｉｎｇ ｒｅｑｕｅｓｔをＡＴＳＳＳに送信し、ＡＴＳＳＳは、案内要求を受信すると、ＷＬＡＮアクセスポイントとのＮ３接続Ｎ３ ｃｏｎｎｅｃｔｉｏｎ ｓｅｔｕｐを確立し、ＵＥに案内コマンドＳｔｅｅｒｉｎｇ ｃｏｍｍａｎｄを送信する。ＵＥは、案内コマンドに従ってＷＬＡＮにアクセスし、案内完了メッセージｓｔｅｅｒｉｎｇ ｃｏｍｐｌｅｔｅをＡＴＳＳＳに送信する。ＡＴＳＳＳは、その後、ＮＲ−ＲＡＮとの間のＮ３接続Ｎ３ ｃｏｎｎｅｃｔｉｏｎ ｒｅｌｅａｓｅを解放することができる。
【００６０】
端末がＮＲ−ＲＡＮで制御シグナリングＳｔｅｅｒｉｎｇ ｒｅｑｕｅｓｔを介してＡＴＳＳＳにＷＬＡＮ ＡＰの情報を伝送することによって、上記実施例で第１アクセス経路で制御シグナリングを介して参照メッセージを伝送する過程を実現する過程を図５に示すフローチャートで示す。
【００６１】
具体例二
図６に示すセッションフロー概略図を参照すると、ソース接続経路は、ＮＲ−ＲＡＮおよびＡＴＳＳＳを介したユーザデバイスＵＥの接続経路であり、ＵＥは、ＡＭＦにおいてＷＬＡＮにより登録された後に、ＷＬＡＮに案内または切り替えることを決定し、このとき、ＵＥは、ＷＬＡＮ ＡＰに案内または切替要求ｓｔｅｅｒｉｎｇ / ｓｗｉｔｃｈｉｎｇ ｒｅｑｕｅｓｔを送信し、ＷＬＡＮ ＡＰは、ＡＴＳＳＳとのＮ２ / Ｎ３接続、すなわちＮ２ / Ｎ３ ｃｏｎｎｅｃｔｉｏｎ ｓｅｔｕｐを確立する。ＡＴＳＳＳは、ＷＬＡＮを介してＵＥに案内又は切替確認ｓｔｅｅｒｉｎｇ / ｓｗｉｔｃｈｉｎｇ ｃｏｎｆｉｒｍ ｏｖｅｒ ＷＬＡＮを送る。その後、ＡＴＳＳＳは、ＮＲ−ＲＡＮとの間のＮ２ / Ｎ３接続Ｎ２ / Ｎ３ ｃｏｎｎｅｃｔｉｏｎ ｒｅｌｅａｓｅを解放することができる。
【００６２】
図６のフローでは、端末がＷＬＡＮを介してＡＴＳＳＳにＷＬＡＮへの切替要求メッセージを送信することで、上記実施例における第２のアクセス経路での参照メッセージの送信手順を実現する。
【００６３】
具体例三
図７に示すセッションフロー概略図を参照すると、ソース接続経路は、ＮＲ−ＲＡＮを介したＵＥのＡＴＳＳＳへの接続経路であり、ＵＥがＡＭＦにおいてＷＬＡＮを介した登録を受けた後、ＵＥは、利用可能なＷＬＡＮ情報が含まれるユーザデータＵｓｅｒ ｄａｔａをＮＲ−ＲＡＮを介してＡＴＳＳＳに送信し、ＡＴＳＳＳは、利用可能なＷＬＡＮ情報からＷＬＡＮへの案内または切替を決定し、次いでＡＴＳＳＳは、ＷＬＡＮとのＮ２ / Ｎ３接続、すなわちＮ２ / Ｎ３ ｃｏｎｎｅｃｔｉｏｎ ｓｅｔｕｐを確立し、ＮＲ−ＲＡＮを介してＵＥに案内または切替確認ｓｔｅｅｒｉｎｇ / ｓｗｉｔｃｈｉｎｇ ｃｏｎｆｉｒｍ ｏｖｅｒ ＲＡＮを送り、ＵＥは、案内または切替の完了後に、案内または切替確認ｓｔｅｅｒｉｎｇ / ｓｗｉｔｃｈｉｎｇ ｃｏｎｆｉｒｍ ｏｖｅｒ ＷＬＡＮをＷＬＡＮを介してＡＴＳＳＳに送信し、最後のＡＴＳＳＳは、ＮＲ−ＲＡＮとの間のＮ２ / Ｎ３接続Ｎ２ / Ｎ３ ｃｏｎｎｅｃｔｉｏｎ ｒｅｌｅａｓｅを解放することができる。
【００６４】
図７に示すフローにより、ＮＲ−ＲＡＮにおいて端末がユーザデータで搬送されるＷＬＡＮ情報により、参照メッセージをＡＴＳＳＳに送信する手順が実現されることが示される。
【００６５】
実施例四
上記実施例と同様の発明思想に基づいて、図８Ａは本発明の実施例におけるネットワークデバイス８０の構成を示し、第１の受信部８０１と第１の切替部８０２を含み、ここで、
前記第１の受信部８０１は、端末デバイスにより送信された参照情報を受信するように構成される。
【００６６】
前記第１の切替部８０２は、前記参照メッセージに基づいて、前記端末デバイスの特定のサービスを第１の接続経路から第２の接続経路へ切り替えるように構成される。
【００６７】
上記の技術案において、前記受信部は、第１の接続経路又は第２の接続経路を介して端末デバイスにより送信された参照情報を受信し、又は、第１の接続経路又は第２の接続経路を協同して端末デバイスにより送信された参照情報を受信するように構成される。
【００６８】
上記の技術案において、図８Ｂを参照し、前記ネットワークデバイス８０は、さらに、確定部８０３及び確立部８０４を含み、ここで、前記確定部８０３は、前記参照情報を受信した後、前記特定のサービスを前記第１の接続経路から前記第２の接続経路へ切り替えると確定するように構成され、
前記確立部８０４は、第２の接続経路に前記端末デバイスに関連する接続を確立するように構成される。
【００６９】
上記の技術案において、前記確立部８０４は、前記ネットワークデバイスが、前記端末デバイスが前記第２の接続経路に接続を確立しないと確定する場合、前記端末デバイスのために前記第２の接続経路に関連する接続を確立し、
前記ネットワークデバイスが、前記端末デバイスが前記第２の接続経路に接続を確立すると確定する場合、前記特定のサービスに基づいて前記第２の接続経路を適当に修正するように構成される。
【００７０】
上記の技術案において、前記確立部８０４は、前記特定のサービスに対して前記第２の接続経路に対応する新たな伝送チャネルを割り当て、又は、前記特定のサービスを前記第２の接続経路の既存する伝送チャネルに追加するように構成される。
【００７１】
上記の技術案において、前記第１の切替部８０２は、前記端末デバイスに切り替えメッセージを送信するように構成され、
ここで、前記切り替えメッセージは、
前記端末デバイスに対して前記特定のサービスを第２の接続経路へ切り替える確認コマンド、
前記第２の接続経路へ切替の特定のサービスの確認情報、
前記第２の接続経路の属性情報、例えば、第２の接続経路のタイプ情報、識別情報等、
前記第２の接続経路へ切り替える期間情報、
前記第２の接続経路への切替のアクティブされるタイミング情報、
前記第２の接続経路へ切り替える構成情報のうちの少なくとも１つを含む。
【００７２】
この実施例において、「部分」は、回路の一部、プロセッサの一部、プログラムの一部、またはソフトウェアの一部などであってもよく、もちろん、ユニットであってもよく、モジュールであってもよく、非モジュールであってもよい。
【００７３】
また、この実施例における各構成要素は、１つの処理装置に集積されていてもよいし、各構成要素が物理的に別々に存在していてもよいし、２つ以上の構成要素が１つの処理装置に集積されていてもよい。上記統合されたユニットは、ハードウェアの形態で実現されてもよいし、ソフトウェア機能ブロックの形態で実現されてもよい。
【００７４】
集積されたユニットは、ソフトウェア機能モジュールの形態で実現され、独立した製品として販売又は使用されない場合、コンピューター読み取り可能な記憶媒体に記憶されてもよく、そのような理解に基づいて、この実施例の技術的解決策の本質又は従来技術に寄与する部分、又は技術的解決策の全部又は一部は、１つの記憶媒体に記憶されたソフトウェア製品の形態で具現化されてもよく、コンピューター装置(パーソナルコンピューター、サーバ、又はネットワークデバイスなどであってもよい)又はｐｒｏｃｅｓｓｏｒ (プロセッサ)にこの実施例に記載の方法のステップの全部又は一部を実行させるための複数の命令を含む。なお、前記記憶媒体としては、Ｕ-ディスク、リムーバブルハードディスク、リードオンリーメモリ( ＲＯＭ、Ｒｅａｄ Ｏｎｌｙ Ｍｅｍｏｒｙ )、ランダムアクセスメモリ( ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【００７５】
したがって、この実施例は、少なくとも１つのプロセッサによって実行されると、上記実施例１に記載の方法のステップを実現する、サービス経路の切替プログラムを記憶したコンピューター可読媒体を提供する。
【００７６】
以上のようなネットワークデバイス８０及びコンピューター読み取り可能な記録媒体に基づき、図９を参照すると、本発明の実施例に係るネットワークデバイス８０の具体的なハードウェア構成が示されており、第１のネットワークインターフェース９０１、第１のメモリ９０２、第１のプロセッサ９０３を備え、各構成要素は、バスシステム９０４を介して接続されてもよい。バスシステム９０４は、これらの構成要素間の接続通信を可能にするために使用されることが理解されよう。バスシステム９０４は、データバスの他に、電源バス、制御バス、ステータス信号バスなどを有する。ただし、説明を分かりやすくするために、図９では、各種のバスをバスシステム９０４と表記している。ここで、第１のネットワークインターフェース９０１は、他の外部ネットワークエンティティとの情報の送受信において、信号を送受信するように構成され、
第１のメモリ９０２は、第１のプロセッサ９０３で実行するコンピュータープログラムを記憶するように構成され、
第１のプロセッサ９０３は、前記コンピュータープログラムが実行される場合、
端末デバイスにより送信された参照情報を受信し、
前記参照メッセージに基づいて、前記端末デバイスの特定のサービスを第１の接続経路から第２の接続経路へ切り替えるように構成される。
【００７７】
なお、本発明の実施例における第１のメモリ９０２は、揮発性メモリであっても不揮発性メモリであってもよく、揮発性メモリと不揮発性メモリの両方を含んでもよいことは言うまでもない。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲＳＤＲＡＭ )、拡張シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲＲＡＭ )など、多くの形態で利用可能である。本明細書に記載されるシステムおよび方法の第１のメモリ９０２は、これらおよび任意の他の適切なタイプのメモリを含むことが意図されるが、これらに限定されない。
【００７８】
第１プロセッサ９０３は、信号の処理能力を有する集積回路チップであってもよい。実施において、方法のステップは、第１のプロセッサ９０３内のハードウェアの集積論理回路またはソフトウェア形態の命令によって実行され得る。上述の第１のプロセッサ９０３は、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本発明の実施例に開示された方法、ステップ、および論理ブロック図は、実施され得るか、または実行され得る。汎用プロセッサはマイクロプロセッサであってもよく、プロセッサは任意の従来のプロセッサなどであってもよい。本発明の実施例に関連して開示された方法のステップは、ハードウェアデコーディングプロセッサ実行として直接具体化され得るか、または、デコーディングプロセッサ内のハードウェアおよびソフトウェアモジュールの組み合わせで実行され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は第１のメモリ９０２に置かれ、第１のプロセッサ９０３は第１のメモリ９０２内の情報を読み出し、そのハードウェアとともに上述した方法のステップを実行する。
【００７９】
本明細書に記載される実施例は、ハードウェア、ソフトウェア、ファームウェア、ミドルウェア、マイクロコード、またはそれらの組み合わせで実装され得ることが理解されよう。ハードウェア実装の場合、処理ユニットは、１つ又は複数の特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔｓ、ＡＳＩＣ )、デジタル信号プロセッサ( Ｄｉｇｉｔａｌ Ｓｉｇｎａｌ Ｐｒｏｃｅｓｓｉｎｇ、ＤＳＰ )、デジタル信号処理デバイス( ＤＳＰ Ｄｅｖｉｃｅ、ＤＳＰＤ )、プログラマブル論理デバイス( Ｐｒｏｇｒａｍｍａｂｌｅ Ｌｏｇｉｃ Ｄｅｖｉｃｅ、ＰＬＤ )、フィールドプログラマブルゲートアレイ( Ｆｉｅｌｄ−Ｐｒｏｇｒａｍｍａｂｌｅ Ｇａｔｅ Ａｒｒａｙ、ＦＰＧＡ )、汎用プロセッサ、コントローラ、マイクロコントローラ、マイクロプロセッサ、本明細書に記載される機能を実行するための他の電子ユニット、又はそれらの組み合わせで実装されてもよい。
【００８０】
ソフトウェア実装の場合、本明細書に説明される技術は、本明細書に説明される機能を実行するモジュール(例えば、プロセス、関数など)によって実装され得る。ソフトウェアコードは、メモリに記憶され、プロセッサによって実行され得る。メモリは、プロセッサ内に実装されてもよく、またはプロセッサの外部に実装されてもよい。
【００８１】
具体的には、ネットワークデバイス８０の第１のプロセッサ９０３は、コンピュータープログラムを実行する際に、前述の実施例１に記載の方法ステップを実行するように更に構成され、ここでその説明が省略される。
【００８２】
実施例五
上記実施例と同様の発明思想に基づいて、図１０は本発明の実施例における端末デバイス１００の構成を示し、送信部１００１、第２の受信部１００２及び第２の切替部１００３を含み、ここで、
前記送信部１００１は、特定のサービスに対してネットワークデバイスに参照メッセージを送信するように構成され、ここで、前記参照メッセージは、前記ネットワークデバイスが前記特定のサービスを第１の接続経路から第２の接続経路へ切り替えるために使用され、
前記第２の受信部１００２は、前記ネットワークデバイスから送信された切替コマンドを受信するように構成され、
前記第２の切替部１００３は、前記ネットワークデバイスから送信された切替コマンドを受信するように構成される。
【００８３】
上記の技術案において、前記送信部１００１は、第１の接続経路又は第２の接続経路を介して前記ネットワークデバイスに参照情報を送信し、又は、第１の接続経路又は第２の接続経路と協働して前記ネットワークデバイスに参照情報を送信するように構成される。
【００８４】
また、この実施例は、少なくとも１つのプロセッサによって実行されると、上記実施例２に記載の方法のステップを実現する、サービス経路の切替えプログラムを記憶する、コンピューター可読媒体をさらに提供する。コンピューター可読媒体の具体的な説明については、実施例４の説明を参照し、ここでは詳しい説明を省略する。
【００８５】
図１１は、上述した端末デバイス１００の構成及びコンピューター読み取り可能な記録媒体に基づき、本発明の実施例に係る端末デバイス１００の具体的なハードウェア構成を示す図であり、第２のネットワークインターフェース１１０１、第２のメモリ１１０２、第２のプロセッサ１１０３を備え、各構成要素は、バスシステム１１０４を介して接続される。バスシステム１１０４は、これらのコンポーネント間の接続通信を可能にするために使用されることが理解される。バスシステム１１０４は、データバスの他に、電源バス、制御バス、ステータス信号バスなどを有する。ただし、説明を分かりやすくするために、図１１では、様々なバスをバスシステム１１０４と表記している。
【００８６】
ここで、前記第２のネットワークインターフェース１１０１は、他の外部ネットワークエンティティとの情報の送受信において、信号を送受信するように構成され、
第２のメモリ１１０２は、第２のプロセッサ１１０３で実行するコンピュータープログラムを記憶し、
第２のプロセッサ１１０３は、前記コンピュータープログラムが実行される場合、
特定のサービスに対してネットワークデバイスに参照メッセージを送信し、ここで、前記参照メッセージは、前記ネットワークデバイスが前記特定のサービスを第１の接続経路から第２の接続経路へ切り替えるために使用され、
前記ネットワークデバイスから送信された切替コマンドを受信し、
切替コマンドによって、特定のサービスを第１の接続経路から第２の接続経路へ切り替えるように構成される。
【００８７】
なお、この実施例における端末デバイス１００の具体的なハードウェア構成は、実施例４と同様であるため、その説明を省略する。
【００８８】
具体的には、端末デバイス１００の第２のプロセッサ１１０３は、コンピュータープログラムを実行することにより、前述の実施例２に記載の方法ステップを実行するように構成され、ここでその説明が省略される。
【００８９】
実施例六
上記実施例と同様の発明思想に基づいて、図１２は本発明の実施例におけるサービス経路の切替システム１２０を示し、ネットワークデバイス８０及び端末デバイス１００を含み、ここで、
前記ネットワークデバイス８０は、端末デバイス１００により送信された参照情報を受信し、
前記参照メッセージに基づいて、前記端末デバイス１００の特定のサービスを第１の接続経路から第２の接続経路へ切り替えるように構成され、
前記端末デバイス１００は、特定のサービスに対してネットワークデバイス８０に参照メッセージを送信し、ここで、前記参照メッセージは、前記ネットワークデバイス８０が前記特定のサービスを第１の接続経路から第２の接続経路へ切り替えるために使用され、
前記ネットワークデバイス８０からの切替コマンドを受信し、
切替コマンドに基づいて特定のサービスを第１の接続経路から第２の接続経路に切り替えるように構成される。
【００９０】
具体的な実現の過程において、この実施例におけるネットワークデバイス８０は、好ましくは、前述の実施例のいずれかに記載のネットワークデバイス８０であり、端末デバイス１００は、上記実施例のいずれかで説明した端末デバイス１００であることが好ましい。
【００９１】
当業者であれば、本発明の実施例が方法、システム、またはコンピュータープログラム製品として提供され得ることを理解するであろう。したがって、本発明は、ハードウェアの実施例、ソフトウェアの実施例、またはソフトウェアとハードウェアの側面を組み合わせた実施例の形態をとることができる。また、本発明は、コンピューター使用可能プログラムコードを含んだ、限定されないが、磁気ディスク記憶装置及び光学記憶装置等を含む、１つ以上のコンピューター使用可能記憶媒体上で実施されるコンピュータープログラム製品の形態をとることができる。
【００９２】
本発明は、本発明の実施例による方法、装置(システム)、およびコンピュータープログラム製品のフローチャートおよび/またはブロック図を参照して説明される。フローチャート及び/又はブロック図の各フロー及び/又はブロック、並びにフローチャート及び/又はブロック図におけるフロー及び/又はブロックの組み合わせは、コンピュータープログラム命令によって実装され得ることが理解される。これらのコンピュータープログラム命令は、汎用コンピューター、専用コンピューター、組み込みプロセッサ、又は他のプログラム可能データ処理装置のプロセッサに提供されて、機械を生成し、コンピューター又は他のプログラム可能データ処理装置のプロセッサによって実行される命令が、フローチャートの１つのフロー若しくは複数のフロー及び/又はブロック図の１つのブロック若しくは複数のブロックにおいて指定される機能を実装するための手段を生成するようにしてもよい。
【００９３】
これらのコンピュータープログラム命令は、また、コンピューター又は他のプログラム可能なデータ処理装置に特定の方法で機能するように指示することができるコンピューター可読メモリに記憶されてもよく、その結果、コンピューター可読メモリに記憶された命令は、フローチャートの１つ又は複数のフロー及び/又はブロック図の１つ又は複数のブロックにおいて指定された機能を実装する命令手段を含む製品を生成する。
【００９４】
これらのコンピュータープログラム命令は、コンピューター又は他のプログラム可能なデータ処理装置にロードされて、コンピューター又は他のプログラム可能な装置上で一連の動作ステップを実行させて、コンピューター実装プロセスを生成し、それにより、コンピューター又は他のプログラム可能な装置上で実行される命令が、フローチャートの１つのフロー若しくは複数のフロー及び/又はブロック図の１つのブロック若しくは複数のブロックにおいて指定される機能を実装するためのステップを提供するようにしてもよい。
【００９５】
以上の説明は、本発明の好適な実施例に過ぎず、本発明の範囲を限定するものではない。
【産業上の利用可能性】
【００９６】
この実施例では、ネットワークデバイスは、受信端末が送信した特定のサービスの参照メッセージにより、当該特定のサービスを第１の接続経路から第２の接続経路に切り替えることができ、これにより、５Ｇのマルチ接続データ伝送環境下で、サービスの伝送経路を切り替えることができる。
【図１】
2021501482.tif 000003
【図２】
2021501482.tif 000004
【図３】
2021501482.tif 000005
【図４】
2021501482.tif 000006
【図５】
2021501482.tif 000007
【図６】
2021501482.tif 000008
【図７】
2021501482.tif 000009
【図８Ａ】
2021501482.tif 000010
【図８Ｂ】
2021501482.tif 000011
【図９】
2021501482.tif 000012
【図１０】
2021501482.tif 000013
【図１１】
2021501482.tif 000014
【図１２】
2021501482.tif 000015
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
ネットワークデバイスに応用されるサービス経路の切替え方法であって、
端末デバイスにより送信された参照情報を受信することと、
前記参照情報に基づいて、前記端末デバイスの特定のサービスを第１の接続経路から第２の接続経路へ切り替えることとを含む
ことを特徴とするサービス経路の切替方法。
【請求項２】
前記第１の接続経路は、前記端末デバイスと第１のアクセスデバイスとの第１のアクセスリンク、及び前記第１のアクセスデバイスとコアネットワークデバイスとの第１のコアネットワークリンクを含み、前記第２の接続経路は、前記端末デバイスと第２のアクセスデバイスとの第２のアクセスリンク、及び前記第２のアクセスデバイスとコアネットワークデバイスとの第２のコアネットワークリンクを含む
ことを特徴とする請求項１に記載のサービス経路の切替方法。
【請求項３】
前記参照情報は、前記第２の接続経路の属性情報、前記特定のサービスの説明情報及び前記端末デバイスのプリファレンス説明情報と請求情報のうちの少なくとも１つを含む
ことを特徴とする請求項１に記載のサービス経路の切替方法。
【請求項４】
前記第２の接続経路の属性情報は、前記第２の接続経路のタイプ情報、第２の接続経路の識別情報、第２の接続経路のリンク品質情報及び第２の接続経路の利用可能な指示情報のうちの少なくとも１つを含み、
前記特定のサービスの説明情報は、前記特定のサービスのパケットデータネットワークＰＤＮ接続情報、前記特定のサービスのサービス品質Ｑｏｓ情報、前記特定のサービスの搬送情報、前記特定のサービスのデータストリーム情報、前記特定のサービスのプロトコルデータユニットＰＤＵセッションのうちの少なくとも１つを含み、
前記端末デバイスのプリファレンス説明情報は、前記特定のサービスに対する前記端末デバイスが使用する接続経路の好み情報を示し、
前記端末デバイスの請求情報は、前記端末デバイスが前記特定のサービスを前記第２の接続経路へ切り替えたいことを示す
ことを特徴とする請求項３に記載のサービス経路の切替方法。
【請求項５】
前記端末デバイスにより送信された参照情報を受信することは、
第１の接続経路又は第２の接続経路を介して端末デバイスにより送信された参照情報を受信し、又は、第１の接続経路又は第２の接続経路を協同して端末デバイスにより送信された参照情報を受信することを含む
ことを特徴とする請求項１に記載のサービス経路の切替方法。
【請求項６】
端末デバイスに応用されるサービス経路の切替え方法であって、
特定のサービスに対してネットワークデバイスに参照情報を送信することと、前記ネットワークデバイスから送信された切替コマンドを受信することと、
前記切替コマンドに基づいて前記特定のサービスを第１の接続経路から第２の接続経路へ切り替えることとを含み、
前記参照情報は、前記ネットワークデバイスが前記特定のサービスを第１の接続経路から第２の接続経路へ切り替えるために使用される、
ことを特徴とするサービス経路の切替方法。
【請求項７】
前記第１の接続経路は、前記端末デバイスと第１のアクセスデバイスとの第１のアクセスリンク、及び前記第１のアクセスデバイスとコアネットワークデバイスとの第１のコアネットワークリンクを含み、前記第２の接続経路は、前記端末デバイスと第２のアクセスデバイスとの第２のアクセスリンク、及び前記第２のアクセスデバイスとコアネットワークデバイスとの第２のコアネットワークリンクを含む
ことを特徴とする請求項６に記載のサービス経路の切替方法。
【請求項８】
前記参照情報は、前記第２の接続経路の属性情報、前記特定のサービスの説明情報及び前記端末デバイスのプリファレンス説明情報と請求情報のうちの少なくとも１つを含む
ことを特徴とする請求項６に記載のサービス経路の切替方法。
【請求項９】
前記第２の接続経路の属性情報は、前記第２の接続経路のタイプ情報、第２の接続経路の識別情報、第２の接続経路のリンク品質情報及び第２の接続経路の利用可能な指示情報のうちの少なくとも１つを含み
前記特定のサービスの説明情報は、前記特定のサービスのパケットデータネットワークＰＤＮ接続情報、前記特定のサービスのサービス品質Ｑｏｓ情報、前記特定のサービスの搬送情報、前記特定のサービスのデータストリーム情報、前記特定のサービスのプロトコルデータユニットＰＤＵセッションのうちの少なくとも１つを含み、
前記端末デバイスのプリファレンス説明情報は、前記特定のサービスに対する前記端末デバイスが使用する接続経路の好み情報を示し、
前記端末デバイスの請求情報は、前記端末デバイスが前記特定のサービスを前記第２の接続経路へ切り替えたいことを示す
ことを特徴とする請求項８に記載のサービス経路の切替方法。
【請求項１０】
前記特定のサービスに対してネットワークデバイスに参照情報を送信することは、
第１の接続経路又は第２の接続経路を介して前記ネットワークデバイスに参照情報を送信し、又は、第１の接続経路又は第２の接続経路と協働して前記ネットワークデバイスに参照情報を送信することを含む
ことを特徴とする請求項６に記載のサービス経路の切替方法。
【請求項１１】
前記参照情報は、前記ネットワークデバイスと前記端末デバイスとのプロトコルスタックインターフェイスにより伝送された制御メッセージ又はユーザーデータに搬送される
ことを特徴とする請求項１０に記載のサービス経路の切替方法。
【請求項１２】
前記切り替えメッセージは、
前記端末デバイスに対して前記特定のサービスを第２の接続経路へ切り替える確認コマンド、
前記第２の接続経路へ切替の特定のサービスの確認情報、
前記第２の接続経路の属性情報、
前記第２の接続経路へ切り替える期間情報、
前記第２の接続経路への切替のアクティブされるタイミング情報、
前記第２の接続経路へ切り替える構成情報のうちの少なくとも１つを含む
ことを特徴とする請求項６に記載のサービス経路の切替方法。
【請求項１３】
前記特定のサービスは、前記端末デバイスが新しく作成したタクス、又は前記端末デバイスが当前実行しているサービスを含む
ことを特徴とする請求項６に記載のサービス経路の切替方法。
【請求項１４】
第１のネットワークインターフェースと、第１のメモリと、第１のプロセッサとを備えるネットワークデバイスであって、
前記第１のネットワークインターフェースは、他の外部ネットワークエンティティとの情報の送受信において、信号を送受信するように構成され、
前記第１のメモリは、前記第１のプロセッサで実行する可能なコンピュータープログラムを記憶するように構成され、
前記第１のプロセッサは、前記コンピュータープログラムを実行して、請求項１〜５のいずれか１項に記載の方法のステップを実行するように構成される
ことを特徴とするネットワークデバイス。
【請求項１５】
第２のネットワークインターフェースと、第２のメモリと、第２のプロセッサとを備える端末デバイスであって、
前記第２のネットワークインターフェースは、他の外部ネットワークエンティティとの情報の送受信において、信号を送受信するように構成され、
前記第２のメモリは、前記第２のプロセッサで実行する可能なコンピュータープログラムを記憶するように構成され、
前記第２のプロセッサは、前記コンピュータープログラムを実行して、請求項６〜１３のいずれか１項に記載の方法のステップを実行するように構成される
ことを特徴とする端末デバイス。
【国際調査報告】
2021501482.tif 000016
2021501482.tif 000017
2021501482.tif 000018
2021501482.tif 000019